(57)【要約】【課題】本発明は、ＨＤＤが発する熱をケースの外に効率よく放出することができ、ＨＤＤの冷却性能を高めて動作環境温度を適正に保てるディスプレイ装置を得ることにある。【解決手段】ディスプレイ装置は、ディスプレイパネル(6)を有する筐体(5)と、ディスプレイパネル(6)を保持するシャーシ(14)と、ディスプレイパネル(6)の背後に位置するＨＤＤユニット(30)と備える。ＨＤＤユニット(30)は、シャーシ(14)に支持されるとともに、ディスプレイパネル(6)の後方に向けて開口する開口部(60)を有するケース(32)と、ケース(32)内に設けられた熱伝導性ブラケット(33)と、ブラケット(33)を介してケース(32)の内部に格納され、動作中に発熱を伴う発熱部(37, 39)を有するＨＤＤ(31)とを含んでいる。ブラケット(33)は、ＨＤＤ(31)の発熱部(37, 39)に熱的に接続された放熱部(50)を有する。放熱部(50)はＨＤＤ(31)に対しディスプレイパネル(6)の反対側に位置するとともに、ケース(32)の開口部(60)から筐体(5)の内部に露出している。【選択図】      図７
2008165883.tif 000002
【特許請求の範囲】
【請求項１】
ディスプレイパネルを有する筐体と、
上記筐体の内部に収容され、上記ディスプレイパネルを保持するシャーシと、
上記筐体の内部に収容され、上記ディスプレイパネルの背後に位置するＨＤＤユニットと、を具備し、
上記ＨＤＤユニットは、
(1)上記シャーシに支持されるとともに、上記筐体の内部で上記ディスプレイパネルの後方に向けて開口する開口部を有するケースと、
(2)上記ケースの内部に設けられた熱伝導性を有するブラケットと、
(3)上記ブラケットを介して上記ケースの内部に格納され、動作中に発熱を伴う発熱部を有するＨＤＤと、を含み、
上記ブラケットは、上記ＨＤＤの発熱部に熱的に接続された放熱部を有し、この放熱部は、上記ＨＤＤに対し上記ディスプレイパネルの反対側に位置するとともに、上記ケースの開口部から上記筐体の内部に露出することを特徴とするディスプレイ装置。
【請求項２】
請求項１の記載において、上記ＨＤＤの発熱部は、回路部品が実装された回路板およびディスク駆動用モータであり、上記ＨＤＤは、上記回路板および上記ディスク駆動用モータを上記放熱部に向けた姿勢で上記ブラケットに支持されていることを特徴とするディスプレイ装置。
【請求項３】
請求項２の記載において、上記放熱部と上記回路板との間に熱伝導部材が介在されていることを特徴とするディスプレイ装置。
【請求項４】
請求項１の記載において、上記筐体は、複数の通気口を有することを特徴とするディスプレイ装置。
【請求項５】
請求項１の記載において、上記ＨＤＤユニットに向けて冷却風を供給するファンをさらに備えることを特徴とするディスプレイ装置。
【請求項６】
請求項１ないし請求項４のいずれかの記載において、上記放熱部は、上記ケースの開口部から上記筐体の内部に突出する複数の放熱フィンを有することを特徴とするディスプレイ装置。
【請求項７】
ディスプレイパネルおよびこのディスプレイパネルの背後に位置する後壁を有する筐体と、
上記筐体の内部に収容され、上記ディスプレイパネルを保持するシャーシと、
上記筐体の内部に収容され、上記ディスプレイパネルと上記後壁との間に位置するＨＤＤユニットと、を具備し、
上記ＨＤＤユニットは、
(1)上記シャーシに支持されるとともに、上記筐体の内部で上記後壁に向けて開口する開口部を有するケースと、
(2)上記ケースの内部に設けられた熱伝導性を有するブラケットと、
(3)上記ブラケットを介して上記ケースの内部に格納され、動作中に発熱を伴う発熱部を有するＨＤＤと、を含み、
上記ＨＤＤは、上記発熱部を上記後壁の方向に向けた姿勢で上記ブラケットに支持されるとともに、上記ブラケットは、上記ＨＤＤの発熱部に熱的に接続された放熱部を有し、この放熱部は、上記ケースの開口部から上記筐体の内部に露出することを特徴とするディスプレイ装置。
【請求項８】
ディスプレイパネルを有する筐体と、
上記筐体の内部に収容され、上記ディスプレイパネルを保持する金属製のシャーシと、
上記筐体の内部に収容され、上記ディスプレイパネルの背後に位置するＨＤＤユニットと、を具備し、
上記ＨＤＤユニットは、
(1)上記シャーシに支持されるとともに、上記筐体の内部で上記ディスプレイパネルの後方に向けて開口する開口部を有するケースと、
(2)上記ケースの内部に設けられた金属製のブラケットと、
(3)上記ブラケットを介して上記ケースの内部に格納され、動作中に発熱を伴う発熱部を有するＨＤＤと、を含み、
上記ブラケットは、上記ＨＤＤの発熱部に熱的に接続された放熱部と、上記シャーシに向けて延びる延出部とを有し、上記ブラケットの放熱部は、上記ＨＤＤに対し上記ディスプレイパネルの反対側に位置するとともに上記ケースの開口部を通じて上記筐体の内部に露出し、上記ブラケットの延出部は、金属製のばね部材を介して上記シャーシに接地されていることを特徴とするディスプレイ装置。
【請求項９】
請求項８の記載において、上記ＨＤＤの発熱部は、回路部品が実装された回路板およびディスク駆動用モータであり、上記ＨＤＤは、上記回路板および上記ディスク駆動用モータを上記放熱部に向けた姿勢で上記ブラケットに支持されていることを特徴とするディスプレイ装置。
【請求項１０】
請求項８の記載において、上記ケースは、上記回路板の反対側に上記ブラケットの延出部を露出させる通孔を有し、上記ばね部材は、上記シャーシに取り付けられて、上記ＨＤＤユニットを上記筐体の内部に収容した時に上記通孔を介して上記延出部に接触することを特徴とするディスプレイ装置。
【発明の詳細な説明】
【技術分野】
【０００１】
本発明は、ハードディスク駆動装置（ＨＤＤ）を搭載した薄型のディスプレイ装置に係り、特にＨＤＤを効率よく冷却するための構造に関する。
【背景技術】
【０００２】
液晶テレビやプラズマテレビのような薄型テレビにおいて、所望の番組を記録したり、記録した番組を迅速に検索して再生できるハードディスク駆動装置（以下、ＨＤＤと称する）を搭載した機種が知られている。
【０００３】
この種の薄型テレビに用いるＨＤＤは、例えば静電気や振動から保護するために、中継コネクタを有するケース内に格納されて、一つのＨＤＤユニットとして組み立てられている。ＨＤＤユニットは、ＨＤＤの保守点検作業や交換作業を容易に行えるように、薄型テレビのディスプレイパネルの背後に取り外し可能に組み込まれている。
【０００４】
ところで、ＨＤＤでは、動作中にディスク駆動用のモータやプリント回路板に実装された複数のＩＣチップが発熱する。このモータやＩＣチップがケース内の密閉された空間に閉じ込められていると、モータやＩＣチップが発する熱によってＨＤＤの雰囲気温度が動作保障範囲を超えてしまい、ＨＤＤの寿命に悪影響を及ぼす。
【０００５】
このことから、従来の薄型テレビでは、例えば特許文献１および特許文献２に見られるように、ＨＤＤを格納するケースに複数の通気口を形成したり、ＨＤＤに冷却ファンを用いて冷却風を強制的に供給することが行われている。
【特許文献１】特開２００６−２７７８９６号公報
【特許文献２】特開２００６−２７９８３５号公報
【発明の開示】
【発明が解決しようとする課題】
【０００６】
従来の薄型テレビによると、ＨＤＤを格納するケースは、薄型テレビの薄型化を妨げないように大きさが制限されており、このケースの内面とＨＤＤとの間に充分な隙間を確保することが困難な状況となっている。
【０００７】
そのため、ケースの内部の通気性が悪くなり、冷却ファンからＨＤＤユニットに冷却風を供給するようにしても、この冷却風がケースの内部に流れ込み難くなる。この結果、発熱源となるモータやプリント回路板上のＩＣチップの周囲に冷却風を効率よく導くことができなくなる。
【０００８】
よって、モータやＩＣチップの熱がケースの内部に籠もる虞があり、ＨＤＤの動作環境温度を適正に保つ上でいま一歩改善の余地が残されている。
【０００９】
本発明の目的は、ＨＤＤが発する熱をケースの外に効率よく逃すことができ、ＨＤＤの冷却性能を高めて動作環境温度を適正に保つことができるディスプレイ装置を得ることにある。
【課題を解決するための手段】
【００１０】
上記目的を達成するため、本発明の一つの形態に係るディスプレイ装置は、  
ディスプレイパネルを有する筐体と、上記筐体の内部に収容され、上記ディスプレイパネルを保持するシャーシと、上記筐体の内部に収容され、上記ディスプレイパネルの背後に位置するＨＤＤユニットと、を備えている。  
上記ＨＤＤユニットは、(1)上記シャーシに支持されるとともに、上記筐体の内部で上記ディスプレイパネルの後方に向けて開口する開口部を有するケースと、(2)上記ケースの内部に設けられた熱伝導性を有するブラケットと、(3)上記ブラケットを介して上記ケースの内部に格納され、動作中に発熱を伴う発熱部を有するＨＤＤと、を含んでいる。  
上記ブラケットは、上記ＨＤＤの発熱部に熱的に接続された放熱部を有し、この放熱部は、上記ＨＤＤに対し上記ディスプレイパネルの反対側に位置するとともに、上記ケースの開口部から上記筐体の内部に露出することを特徴としている。
【発明の効果】
【００１１】
本発明によると、ＨＤＤが発する熱は、ブラケットの放熱部に伝わる。放熱部は、ＨＤＤに対しディスプレイパネルの反対側に位置するとともに、ケースの開口部を通じてケースの外に直接露出している。このため、放熱部に伝えられたＨＤＤの熱をディスプレイパネルに邪魔されることなくケースの外に積極的に逃すことができる。  
したがって、ブラケットがＨＤＤのヒートシンクとしての機能を兼用することになり、ファンを用いなくともＨＤＤの冷却性能を充分に確保できる。
【発明を実施するための最良の形態】
【００１２】
以下本発明の第１の実施の形態を、図１ないし図９に基づいて説明する。
【００１３】
図１は、ディスプレイ装置の一例である薄型の液晶テレビ１を開示している。液晶テレビ１は、偏平なディスプレイ本体２を備えている。ディスプレイ本体２は、スタンド３を介してテレビ台４の上に載置されている。ディスプレイ本体２は、テレビ台４の上に載置することに限らず、例えば壁掛け金具（図示せず）を用いて屋内の起立した壁面に掛けることもできる。
【００１４】
ディスプレイ本体２は、合成樹脂製の筐体５と、この筐体５の内部に収容されたフラットな液晶ディスプレイパネル６とを含んでいる。液晶ディスプレイパネル６は、表示画面６ａと、この表示画面６ａを照らすバックライト（図示せず）とを有している。表示画面６ａは、筐体５の前面に露出している。
【００１５】
図１および図２に示すように、筐体５は、フロントカバー８とバックカバー９とを備えている。フロントカバー８は、液晶ディスプレイパネル６を取り囲んでいる。バックカバー９は、スタンド３によって支えられるとともに、液晶ディスプレイパネル６を背後から覆っている。
【００１６】
バックカバー９は、後壁１０、左右の側壁１１ａ，１１ｂ、上壁１２および底壁１３を有し、筐体５の前方に向けて開口するような偏平な箱状をなしている。後壁１０は、液晶ディスプレイパネル４の背後で起立している。左右の側壁１１ａ，１１ｂは、後壁１０の側縁から筐体５の前方に向けて張り出している。上壁１２および底壁１３は、夫々後壁１０の上縁および下縁から筐体５の前方に向けて張り出している。
【００１７】
図３に示すように、筐体５の内部に、液晶ディスプレイパネル６を支持する金属製のシャーシ１４が収容されている。シャーシ１４は、液晶ディスプレイパネル６の背面に重なり合うとともに、バックカバー９の後壁１０と向かい合っている。
【００１８】
バックカバー９の内側に収容室１６が形成されている。収容室１６は、シャーシ１４の背後に位置するとともに、バックカバー９に形成した複数の通気口１７を介して筐体５の外部に通じている。
【００１９】
図１および図２に示すように、バックカバー９の後壁１０と右側の側壁１１ｂとで規定される角部に挿入口１８が形成されている。挿入口１８は、収容室１６に開口するとともにバックカバー９の高さ方向に沿う縦長の開口形状を有している。挿入口１８は、蓋１９によって開閉することができる。
【００２０】
図３ないし図５に示すように、筐体５の収容室１６に合成樹脂製のＨＤＤホルダ２０が設置されている。ＨＤＤホルダ２０は、装着口２１およびコネクタ支持壁２２を有する偏平な箱状をなしている。装着口２１は、ＨＤＤホルダ２０の右端部に位置するとともに、筐体５の高さ方向に沿う縦長の開口形状を有している。コネクタ支持壁２２は、装着口２１と向かい合うようにＨＤＤホルダ２０の左端部に位置している。
【００２１】
ＨＤＤホルダ２０は、複数のねじ２３を介してシャーシ１４の背面に固定されている。この固定により、ＨＤＤホルダ２０の装着口２１がバックカバー９の挿入口１８と向かい合っている。
【００２２】
ＨＤＤホルダ２０は、シャージ１４の反対側に位置する後端壁２４を備えている。後端壁２４は、バックカバー９の後壁１０と向かい合っている。後端壁２４の中央部分に収容室１６に開口するように切り欠かれた四角い窓部２５が形成されている。
【００２３】
さらに、ＨＤＤホルダ２０のコネクタ支持壁２２に中継コネクタ２６が取り付けられている。中継コネクタ２６は、図示しないケーブルを介して液晶テレビ１の制御回路部に電気的に接続されている。
【００２４】
図５および図７に示すように、ＨＤＤホルダ２０は、ＨＤＤユニット３０を取り外し可能に支持している。ＨＤＤユニット３０は、例えば所望の番組を記録したり、記録した番組を迅速に検索して再生するためのものである。ＨＤＤユニット３０は、バックカバー９の挿入口１８からＨＤＤホルダ２０の装着口２１に出し入れ可能に挿入され、このＨＤＤホルダ２０を介して筐体５の収容室１６に保持されている。
【００２５】
図５および図６示すように、ＨＤＤユニット３０は、ＨＤＤ３１と、このＨＤＤ３１を格納する合成樹脂製のケース３２と、ＨＤＤ３０をケース３２の内部に保持するブラケット３３とを備えている。
【００２６】
ＨＤＤ３１は、金属製の本体３４を備えている。本体３４は、ベース３５と、ベース３５に固定されたトップカバー３６とで構成されている。トップカバー３６は、ベース３５との間に清浄な密閉空間を構成しており、この密閉空間に複数の磁気ディスク、磁気ヘッドを有するキャリッジ、磁気ディスクを駆動するスピンドルモータ３７のような各種の構成要素が収容されている。スピンドルモータ３７の端部は、ベース３５の底から本体３４の外に露出している。
【００２７】
ベース３５の底にプリント回路板３８が取り付けられている。プリント回路板３８は、ＨＤＤ３１の制御を司るためのものであり、例えばＩＣチップのような複数の回路部品３９および第１のＨＤＤコネクタ４０を実装している。プリント回路板３８は、ベース３５の底と向かい合うとともに、本体３４の外に露出している。
【００２８】
スピンドルモータ３７および回路部品３９は、ＨＤＤ３１の動作時に発熱を伴う。そのため、スピンドルモータ３７および回路部品３９は、ＨＤＤ３１の発熱部となっている。これらスピンドルモータ３７および回路部品３９の熱は、プリント回路板３８やＨＤＤ３１の本体３４に伝わる。
【００２９】
ＨＤＤ３１を格納するケース３２は、ケース本体４２とカバー４３とを備えている。ケース本体４２は、ＨＤＤ３１よりも一回り大きな偏平な箱状をなしている。ケース本体４２は、四角い底壁４４と、底壁４４の周縁から起立する四つの周壁４５ａ，４５ｂ，４５ｃ，４３ｄとを有している。周壁４５ａ，４３ｂ，４３ｃ，４３ｄの先端縁は、四角い開口部４６を規定している。開口部４６は、ケース本体４２の内部にＨＤＤ３１を導くためのものであり、底壁４４と向かい合っている。
【００３０】
さらに、ケース本体４２の一つの周壁４５ｂは、ＨＤＤユニット３０をＨＤＤホルダ２０に挿入する際に、この挿入方向に沿う前端に位置している。この周壁４５ｂに第２のＨＤＤコネクタ４７が取り付けられている。第２のＨＤＤコネクタ４７は、中継ケーブル４８を介して第１のＨＤＤコネクタ４０に電気的に接続されているとともに、ＨＤＤホルダ２０の中継コネクタ２６に嵌合するようになっている。
【００３１】
カバー４３は、開口部４６を塞ぐようにケース本体４２に取り付けられている。カバー４３は、ＨＤＤユニット３０のユーザあるいは第三者が妄りにケース本体４２から取り外すことができないように、例えば特殊なねじを用いてケース本体４２に固定されている。
【００３２】
したがって、ケース３２の内部に格納されたＨＤＤ３１を取り出したり、ケース３２の外に露出させることができなくなり、ＨＤＤ３１が不所望に損傷するのを防いでいる。
【００３３】
ＨＤＤ３１をケース３２に固定するブラケット３３は、例えばアルミニウム合金のような熱伝導性に優れた金属材料で造られている。図５及び図６に示すように、ブラケット３３は、放熱部５０と、一対の支持板５１ａ，５１ｂとを備えている。
【００３４】
放熱部５０は、フラットな四角い板状であり、ＨＤＤ３１に対応する大きさを有している。一方の支持板５１ａは、放熱部５０の一つの側縁から起立している。他方の支持板５１ｂは、放熱部５０の他の側縁から起立している。すなわち、支持板５１ａ，５１ｂは、ＨＤＤ３１の幅方向に互いに向かい合っている。
【００３５】
ＨＤＤ３１の本体３４は、支持板５１ａ，５１ｂの間に介在されるとともに、複数の第１のゴムダンパ５２を介して支持板５１ａ，５１ｂに弾性的に支持されている。ＨＤＤ３１のプリント回路板３８は、ＨＤＤ３１の本体３４とブラケット３３の放熱部５０との間に介在されている。
【００３６】
プリント回路板３８とブラケット３３の放熱部５０との間に、熱伝導部材５３が介在されている。熱伝導部材５３としては、例えば熱伝導性のグリースあるいは柔軟な熱伝導シートを用いることができる。熱伝導部材５３は、発熱する回路部品３９と放熱部５０との間、およびプリント回路板３８と放熱部５０との間を熱的に接続している。
【００３７】
そのため、ＨＤＤ３１の動作中にスピンドルモータ３７および回路部品３９が発する熱は、熱伝導部材５３を介してブラケット３８の放熱部５０に効率よく伝わるようになっている。
【００３８】
言い換えると、熱伝導部材５３の存在により、ＨＤＤ３１と放熱部５０との間から熱伝導を妨げるような隙間が排除されている。
【００３９】
図５ないし図７に示すように、ブラケット３３の支持板４６ａ，４６ｂの先端に、夫々一対のフランジ部５５が形成されている。各フランジ部５５に円筒状の第２のゴムダンパ５６が取り付けられている。第２のゴムダンパ５６は、フランジ部５５からブラケット３３の放熱部５０に向けて突出している。
【００４０】
第２のゴムダンパ５６の中央部に夫々固定ねじ５７が挿通されている。固定ねじ５７は、第２のゴムダンパ５６を貫通するとともに、放熱部５０から突出する四つの座部５８にねじ込まれている。これにより、第２のゴムダンパ５６がフランジ部５５と座部５８との間に介在されて、ブラケット３３をＨＤＤ３１と一緒にケース本体４２に弾性的に保持している。
【００４１】
ブラケット３３をケース本体４２に保持した状態では、ブラケット３３の放熱部５０がＨＤＤ３１とケース本体４２の底壁４４との間に介在されている。図９に示すように、ケース本体４２の底壁４４に、ブラケット３３の放熱部５０と向かい合う四角い開口部６０が形成されている。開口部６０は、ブラケット３３の放熱部５０に対応する大きさを有している。放熱部５０は、開口部６０を通じてケース３２の外に直接露出している。
【００４２】
なお、ケース本体４０の上面となる周壁４５ａおよびケース本体４０の下面となる周壁４５ｃには、夫々スリット状の複数の放熱口６１が形成されている。
【００４３】
ケース３２の内部にＨＤＤ３１を格納したＨＤＤユニット３０は、液晶テレビ１の右側からバックカバー９の挿入口１８を通じてＨＤＤホルダ２０の装着口２１に取り出し可能に挿入される。
【００４４】
この際、ＨＤＤ３１は、図５ないし図７に示すようにプリント回路板３８をバックカバー９の後壁１０の方向に向けた縦置きの姿勢でケース３２内に保持されている。それとともに、ＨＤＤユニツトケース３０のケース３２は、開口部６０をバックカバー９の後壁１０の方向に向けた縦置きの姿勢でＨＤＤホルダ２０に保持されている。
【００４５】
ＨＤＤユニット３０のケース３２をＨＤＤホルダ２０に挿入すると、第２のＨＤＤコネクタ４７がＨＤＤホルダ２０の中継コネクタ２６に嵌合する。この嵌合により、ＨＤＤ３１が液晶テレビ１の制御回路部に電気的に接続される。
【００４６】
さらに、図４に示すように、ケース３２の開口部６０がＨＤＤホルダ２０の窓部２５に位置し、開口部４６がＨＤＤホルダ２０によって塞がれることはない。
【００４７】
このことから、ＨＤＤユニット３０を筐体５の収容室１６に収容した状態では、ＨＤＤ３１の熱を受けるブラケット３３の放熱部５０は、ＨＤＤ３１に対し液晶ディスプレイパネル６の反対側でケース３２から収容室１６に露出している。
【００４８】
図８に示すように、ＨＤＤ３１を支持するブラケット３３は、接地用の延出部６５を有している。延出部６５は、一方の支持板５１ａの先端からシャーシ１４に向けて延びている。延出部６５は、ＨＤＤ３１のトップカバー３６とケース３２のカバー４３との間に位置する接触片６６を備えている。
【００４９】
カバー４３は、接触片６６をケース３２の外に露出させる通孔６７を有している。通孔６７は、ＨＤＤユニット３０をＨＤＤホルダ２０に挿入した時に、このＨＤＤホルダ２０に開けた連通孔６８と合致する。そのため、接触片６６は、通孔６７および連通孔６８を介してシャーシ１４と向かい合っている。
【００５０】
シャーシ１４の背面に金属製の板ばね７０が取り付けられている。板ばね７０はばね部材の一例であって、円弧状に湾曲する弾性変形が可能な接触子７１を有している。接触子７１は、通孔６７および連通孔６８を通じてＨＤＤホルダ２０の内側に向けて突出している。
【００５１】
ＨＤＤユニット３０をＨＤＤホルダ２０に挿入すると、板ばね７０の接触子７１がケース３２のカバー４３に摺動可能に接触する。カバー４３の通孔６７がＨＤＤホルダ２０の連通孔６８と合致する位置までＨＤＤユニット３０がＨＤＤホルダ２９に差し込まれると、接触子７１がブラケット３３の接触片６６に弾性的に接触する。
【００５２】
この接触により、ＨＤＤ３１を支持するブラケット３３が板ばね７０を介してグランドに接地され、ＨＤＤ３１のノイズ対策が図られている。
【００５３】
このような本発明の第１の実施の形態において、ＨＤＤ３１の動作時においては、ディスク駆動用のスピンドルモータ３７およびプリント回路板３８の上の回路部品３９が発熱する。スピンドルモータ３７および回路部品３９の熱は、直接もしくはプリント回路板３８を経由して熱伝導部材５３に伝わるとともに、この熱伝導部材５３からブラケット３３の放熱部５０に伝わる。
【００５４】
放熱部５０は、ＨＤＤ３１に対し液晶ディスプレイパネル６の反対側に位置するとともに、ケース３２の開口部６０およびＨＤＤホルダ２０の窓部２５を通じてケース３２の外に直接露出している。そのため、放熱部５０に伝えられたＨＤＤ３１の熱は、液晶ディスプレイパネル６に邪魔されることなく放熱部５０から自然空冷によりケース３２の外に逃される。ケース３２の外に逃された熱は、バックカバー９に開けた放熱口６１からディスプレイ本体２の外に放出される。
【００５５】
上記構成によれば、ＨＤＤ３１を支えるブラケット３３がヒートシンクとしての機能を兼用するので、このブラケット３３を利用してＨＤＤ３１の放熱性能を高めることができる。そのため、ＨＤＤ３１の熱がケース３２の内部に籠もり難くなる。
【００５６】
しかも、回路部品３９やスピンドルモータ３７の熱を受けるプリント回路板３８が液晶ディスプレイパネル６から遠ざかるので、このプリント回路板３８が液晶ディスプレイパネル６のバックライトの熱影響を受け難くなる。
【００５７】
この結果、ＨＤＤ３１を強制的に冷却するファンを用いなくとも、ＨＤＤ３１の冷却性能を充分に確保することができる。よって、ファンを省略することが可能となって、ファンの運転音が気になることもなく、低騒音化を実現できる。
【００５８】
加えて、ファンが不要となる分、液晶テレビ１のコストを軽減できるとともに、液晶テレビ１の消費電力を少なく抑えることができる。
【００５９】
さらに、ブラケット３３にシャーシ１４の方向に延びる延出部６５を設けたことで、この延出部６５の接触片６６をシャーシ１４に固定された板ばね７０に接触させることができる。
【００６０】
このため、ブラケット３３の主要部がシャーシ１４に対しＨＤＤ３１を間に挟んだ反対側に位置するにも拘らず、ＨＤＤ３１を支持するブラケット３３を、板ばね７０を介してグランドに接地することができ、ＨＤＤ３１のノイズ対策を実施することができる。
【００６１】
本発明は上記第１の実施の形態に特定されるものではなく、発明の主旨を逸脱しない範囲内で種々変更して実施できる。
【００６２】
図１０は、本発明の第２の実施の形態を開示している。
【００６３】
この第２の実施の形態は、ブラケット３３の構成が上記第１の実施の形態と相違しており、それ以外の液晶テレビ１の構成は第１の実施の形態と同様である。そのため、第２の実施の形態において、第１の実施の形態と同一の構成部分には同一の参照符号を付して、その説明を省略する。
【００６４】
図１０に示すように、ブラケット３３は複数の放熱フィン８０を有している。放熱フィン８０は、ブラケット３３の放熱部５０の背面に一体に形成されている。放熱フィン８０は、例えば筐体５の高さ方向に延びているとともに、この筐体５の幅方向に間隔を存して並んでいる。
【００６５】
放熱フィン８０は、ケース３２の開口部６０を貫通してケース３２の背後に突出しており、その突出端が筐体５の内部の収容室１６に露出している。
【００６６】
なお、ブラケット３３に放熱フィン８０を形成する場合は、ＨＤＤホルダ２０に装着口２１の開口縁から窓部２５に至る切り欠きを形成し、放熱フィン８０とＨＤＤホルダ２０との干渉を避ける必要がある。
【００６７】
このような第２の実施の形態によれば、放熱フィン８０の存在により、放熱部５０の放熱面積および空気との接触面積が増大する。このため、放熱部５０に伝わるＨＤＤ３１の熱をケース３２の外に効率よく逃すことができ、ＨＤＤ３１の冷却性能をより一層高めることができる。
【００６８】
図１１は、本発明の第３の実施の形態を開示している。
【００６９】
この第３の実施の形態は、ＨＤＤ３１の発熱量が上記第１および第２の実施の形態よりも大きい場合に好適する構造を開示している。
【００７０】
図１１に示すように、ＨＤＤホルダ２０は、電動式の冷却ファン９１を備えている。冷却ファン９１は、ＨＤＤホルダ２０の下端に位置する送風口９２に取り付けられている。冷却ファン９１は、ファンケ−シング９３と、このファンケーシング９３に収容された羽根車９４とを備えている。
【００７１】
ファンケーシング９３は、吸込口９５と吐出口９６とを有している。ファンケーシング９２の吸込口９５は、筐体５の収容室１６に向けて開口するとともに、吐出口９６は、ＨＤＤホルダ２０の送風口９２に向けて開口している。羽根車９４は、吸込口９５と吐出口９６との間に位置している。
【００７２】
羽根車９４が回転すると、収容室１６内の空気が吸込口９５からファンケーシング９３に吸い込まれる。ファンケーシング９３に吸い込まれた空気は、冷却風となって吐出口９６から送風口９２を介してＨＤＤユニット３０に吹き付けられる。冷却風は、ケース３２の下端の放熱口６１からケース３２の内部に流れ込んだ後、ＨＤＤ３１の周囲を通ってケース３２の上端の放熱口６１から排出される。
【００７３】
さらに、羽根車９４の回転により、筐体５の収容室１６の内部に図１１に矢印Ａで示すように下から上に向う空気の流れが形成される。このため、収容室１６に露出するブラケット３３の放熱部５０が空気の流れに直接晒されて、この空気により冷やされる。
【００７４】
このような第３の実施の形態によると、発熱量の大きなＨＤＤ３１を冷却ファン９１から送られる冷却風によって強制的に冷却できるとともに、ブラケット３３の放熱部５０も収容室１６内に生じる空気の流れによって強制的に冷却することができる。
【００７５】
そのため、ＨＤＤ３１の冷却効果を一段と高めることができ、ＨＤＤ３１の動作環境温度を適正に保つことができる。
【００７６】
なお、上記第３の実施の形態では、冷却ファン９１をＨＤＤホルダ２０に取り付けたが、本発明はこれに限定されない。例えば、図１１に二点鎖線で示すように、冷却ファン９１をバックカバー９の後壁１０に取り付け、ブラケット３３の放熱部５０に冷却ファン９１を介して冷却風を直接吹き付けるようにしてもよい。
【００７７】
さらに、本発明に係るディスプレイ装置は、液晶テレビに限らず、例えばプラズマテレビあるいはデスクトップ型のパーソナルコンピュータのモニターとしても同様に実施することができる。
【図面の簡単な説明】
【００７８】
【図１】本発明の第１の実施の形態に係る液晶テレビの斜視図。
【図２】本発明の第１の実施の形態に係る液晶テレビを背後から見た斜視図。
【図３】本発明の第１の実施の形態において、シャーシにＨＤＤホルダを固定した状態を示す断面図。
【図４】本発明の第１の実施の形態において、ＨＤＤホルダの内部にＨＤＤユニットを挿入した状態を示す正面図。
【図５】本発明の第１の実施の形態において、ＨＤＤホルダの内部にＨＤＤユニットを挿入した状態を示す断面図。
【図６】本発明の第１の実施の形態に係るＨＤＤユニットの断面図。
【図７】本発明の第１の実施の形態において、ＨＤＤホルダの内部にＨＤＤユニットを挿入した状態を示す断面図。
【図８】本発明の第１の実施の形態において、ＨＤＤユニットのブラケットを、板ばねを介してシャーシに接地した状態を示す断面図。
【図９】本発明の第１の実施の形態に係るＨＤＤユニットの斜視図。
【図１０】本発明の第２の実施の形態において、ＨＤＤホルダの内部にＨＤＤユニットを挿入した状態を示す断面図。
【図１１】本発明の第３の実施の形態において、ＨＤＤホルダの内部にＨＤＤユニットを挿入した状態を示す断面図。
【符号の説明】
【００７９】
５…筐体、６…ディスプレイパネル（液晶ディスプレイパネル）、１０…後壁、１４…シャーシ、３０…ＨＤＤユニット、３１…ＨＤＤ、３２…ケース、３３…ブラケット、３９，３９…発熱部（スピンドルモータ、回路部品）、５０…放熱部、６０…開口部、６５…延出部、７０…ばね部材（板ばね）。
【図１】
2008165883.tif 000003
【図２】
2008165883.tif 000004
【図３】
2008165883.tif 000005
【図４】
2008165883.tif 000006
【図５】
2008165883.tif 000007
【図６】
2008165883.tif 000008
【図７】
2008165883.tif 000009
【図８】
2008165883.tif 000010
【図９】
2008165883.tif 000011
【図１０】
2008165883.tif 000012
【図１１】
2008165883.tif 000013